(57)【要約】      （修正有）【課題】より操作性を向上させることができ、且つ洗浄操作手段や正面パネルの設計自由度が高いフラッシュバルブ操作装置及びロールペーパー供給装置を提供する。【解決手段】正面パネルと、開口部より突出する操作ボタン１０１、該操作ボタン１０１が当接し第一支持部材に軸支される、貫通孔を有する第一テコ部材１０２、貫通孔とバルブ開閉ボタン３１の押圧用の突起部材１０３ｃを有し、第二支持部材１０６に軸支される第二テコ部材１０３、第一テコ部材１０２の揺動を第二テコ部材１０３に伝達する連結シャフト１０４を有する洗浄操作部１００とを備え、操作ボタン１０１が押圧されると、第一テコ部材１０２が揺動し、揺動が連結シャフト１０４により第二テコ部材１０３に伝達されて、第二テコ部材１０３が揺動してトイレ壁面凹部内のフラッシュバルブ３のバルブ開閉ボタン３１が押圧されるフラッシュバルブ操作装置。【選択図】図４
2008223340.tif 000002
【特許請求の範囲】
【請求項１】
トイレブースの壁面に形成された凹部に設置されたフラッシュバルブのバルブ開閉用押圧部材を操作して洗浄水を流出させるフラッシュバルブ操作装置であって、
開口部を有し、前記凹部を閉口する正面パネルと、
前記開口部より突出する操作用押圧部材、前記操作用押圧部材が当接し、前記凹部に固設された第一支持手段に揺動可能に軸支される、係止部を有する第一揺動部材、係止部と前記バルブ開閉用押圧部材を押圧するためのバルブ開閉用突起部材を有し、前記フラッシュバルブに固設された第二支持手段に揺動可能に軸支される第二揺動部材、及び前記第一揺動部材の前記係止部及び前記第二揺動部材の前記係止部に係止され、前記第一揺動部材の揺動を前記第二揺動部材に伝達する揺動伝達手段を有する洗浄操作手段と、を備え、
前記操作用押圧部材が押圧されると、前記第一揺動部材が揺動し、該揺動が前記揺動伝達手段により前記第二揺動部材に伝達され、これにより前記第二揺動部材が揺動して前記バルブ開閉用押圧部材が押圧されることを特徴とするフラッシュバルブ操作装置。
【請求項２】
フラッシュバルブのバルブ開閉用押圧部材を操作して洗浄水を流出させるフラッシュバルブ操作装置であって、
開口部を有する正面パネルと、
前記正面パネルの裏面側に設けられる本体パネルと、
前記開口部より突出する操作用押圧部材、前記操作用押圧部材が当接し、前記本体パネルに固設された第一支持手段に揺動可能に軸支される、係止部を有する第一揺動部材、係止部と前記バルブ開閉用押圧部材を押圧するためのバルブ開閉用突起部材を有し、前記フラッシュバルブに固設された第二支持手段に揺動可能に軸支される第二揺動部材、及び前記第一揺動部材の前記係止部及び前記第二揺動部材の前記係止部に係止され、前記第一揺動部材の揺動を前記第二揺動部材に伝達する揺動伝達手段を有する洗浄操作手段と、を備え、
前記操作用押圧部材が押圧されると、前記第一揺動部材が揺動し、該揺動が前記揺動伝達手段により前記第二揺動部材に伝達され、これにより前記第二揺動部材が揺動して前記バルブ開閉用押圧部材が押圧されることを特徴とするフラッシュバルブ操作装置。
【請求項３】
請求項１又は２に記載のフラッシュバルブ操作装置において、
前記第一揺動部材は、前記第一支持手段に軸支された位置を挟んで一端側に前記操作用押圧部材が当接し、他端側に前記係止部が設けられ、
前記第二揺動部材は、一端側が第二支持手段に軸支され、他端側に前記係止部が設けられ、前記第二支持手段による軸支位置と前記係止部との間に前記バルブ開閉用突起部材が設けられることを特徴とするフラッシュバルブ操作装置。
【請求項４】
請求項１ないし３のいずれかに記載のフラッシュバルブ操作装置と、
ロールペーパー収容手段を有するロールペーパー供給手段と、を備えたことを特徴とするロールペーパー供給装置。
【請求項５】
請求項４に記載のロールペーパー供給装置において、
前記ロールペーパー収容手段は、前記第一揺動部材と前記第二揺動部材と前記揺動伝達手段とで囲まれた空間に配置されることを特徴とするロールペーパー供給装置。
【発明の詳細な説明】
【技術分野】
【０００１】
本発明は、水洗便器等に用いられるフラッシュバルブを操作するためのフラッシュバルブ操作装置及び、該フラッシュバルブ操作装置を備えたロールペーパー供給装置に関するものである。
【背景技術】
【０００２】
近年、特に高速道路等に設けられたサービスエリアあるいはパーキングエリア、又は駅や公園、劇場、デパート等に設置される公共のトイレでは、フラッシュバルブがトイレブースの壁面に形成された凹部に設置されているものが多い。そして、このようなトイレでは、凹部の開口部を覆う正面パネルに形成された開口部からフラッシュバルブのバルブ開閉ボタンが突出するように構成されており、トイレ使用後は、使用者が該バルブ開閉ボタンを押圧して、便器を洗浄するための洗浄水を流出させるというものであった。ここで、バルブ開閉ボタンの押圧には非常に力が必要とされ、そのためフラッシュバルブの操作が困難であった。
【０００３】
これに対し、正面パネルの裏面に操作レバーを設け、該操作レバーを介してバルブ開閉ボタンを押圧するフラッシュバルブ操作装置が提案されている（例えば、特許文献１参照）。このフラッシュバルブ操作装置は、テコの様に動作する操作レバーを介してバルブ開閉ボタンを押圧することで、バルブ開閉ボタンの押圧力を軽減するというものである。
【特許文献１】特開２００２−３２７４７８号公報
【発明の開示】
【発明が解決しようとする課題】
【０００４】
しかしながら、従来例における前記操作レバーは、その根部が正面パネルの裏面に枢支され、その中間部にフラッシュバルブのバルブ開閉ボタンを押圧するための押圧突起が設けられ、その先端部に正面パネルの貫通孔から突出する操作ボタンを設けた構成であった。したがって、バルブ開閉ボタンの押圧力の軽減効果を得るためには、操作レバーの根部から押圧突起までと根部から操作ボタンまでの距離の比が所定範囲となるようにしなければならなかった。そのため、正面パネルに対する操作ボタンの突出位置が制限されてしまうといった問題があった。
【０００５】
また、フラッシュバルブに対する正面パネルの配設位置、大きさ等が制限されている場合には、望まれるバルブ開閉ボタンの押圧力の軽減が得られず、フラッシュバルブの操作が依然として困難である場合があるといった問題があった。
【０００６】
本発明は、このような状況下でなされたものであり、より操作性を向上させることができ、且つ洗浄操作手段や正面パネルの設計自由度が高いフラッシュバルブ操作装置及び、該フラッシュバルブ操作装置を備えたロールペーパー供給装置を提供することを課題とするものである。
【課題を解決するための手段】
【０００７】
本発明は上述した課題を解決するためになされたものであり、以下の構成を備える。
【０００８】
（１）トイレブースの壁面に形成された凹部に設置されたフラッシュバルブのバルブ開閉用押圧部材を操作して洗浄水を流出させるフラッシュバルブ操作装置であって、開口部を有し、前記凹部を閉口する正面パネルと、前記開口部より突出する操作用押圧部材、前記操作用押圧部材が当接し、前記凹部に固設された第一支持手段に揺動可能に軸支される、係止部を有する第一揺動部材、係止部と前記バルブ開閉用押圧部材を押圧するためのバルブ開閉用突起部材を有し、前記フラッシュバルブに固設された第二支持手段に揺動可能に軸支される第二揺動部材、及び前記第一揺動部材の前記係止部及び前記第二揺動部材の前記係止部に係止され、前記第一揺動部材の揺動を前記第二揺動部材に伝達する揺動伝達手段を有する洗浄操作手段と、を備え、前記操作用押圧部材が押圧されると、前記第一揺動部材が揺動し、該揺動が前記揺動伝達手段により前記第二揺動部材に伝達され、これにより前記第二揺動部材が揺動して前記バルブ開閉用押圧部材が押圧されることを特徴とするフラッシュバルブ操作装置。
【０００９】
（２）フラッシュバルブのバルブ開閉用押圧部材を操作して洗浄水を流出させるフラッシュバルブ操作装置であって、開口部を有する正面パネルと、前記正面パネルの裏面側に設けられる本体パネルと、前記開口部より突出する操作用押圧部材、前記操作用押圧部材が当接し、前記本体パネルに固設された第一支持手段に揺動可能に軸支される、係止部を有する第一揺動部材、係止部と前記バルブ開閉用押圧部材を押圧するためのバルブ開閉用突起部材を有し、前記フラッシュバルブに固設された第二支持手段に揺動可能に軸支される第二揺動部材、及び前記第一揺動部材の前記係止部及び前記第二揺動部材の前記係止部に係止され、前記第一揺動部材の揺動を前記第二揺動部材に伝達する揺動伝達手段を有する洗浄操作手段と、を備え、前記操作用押圧部材が押圧されると、前記第一揺動部材が揺動し、該揺動が前記揺動伝達手段により前記第二揺動部材に伝達され、これにより前記第二揺動部材が揺動して前記バルブ開閉用押圧部材が押圧されることを特徴とするフラッシュバルブ操作装置。
【００１０】
（３）前記（１）又は（２）に記載のフラッシュバルブ操作装置において、前記第一揺動部材は、前記第一支持手段に軸支された位置を挟んで一端側に前記操作用押圧部材が当接し、他端側に前記係止部が設けられ、前記第二揺動部材は、一端側が第二支持手段に軸支され、他端側に前記係止部が設けられ、前記第二支持手段による軸支位置と前記係止部との間に前記バルブ開閉用突起部材が設けられることを特徴とするフラッシュバルブ操作装置。
【００１１】
（４）前記（１）ないし（３）のいずれかに記載のフラッシュバルブ操作装置と、ロールペーパー収容手段を有するロールペーパー供給手段と、を備えたことを特徴とするロールペーパー供給装置。
【００１２】
（５）前記（４）に記載のロールペーパー供給装置において、前記ロールペーパー収容手段は、前記第一揺動部材と前記第二揺動部材と前記揺動伝達手段とで囲まれた空間に配置されることを特徴とするロールペーパー供給装置。
【発明の効果】
【００１３】
本発明によれば、より操作性を向上させることができ、且つ洗浄操作手段や正面パネルの設計自由度が高いフラッシュバルブ操作装置及び、該フラッシュバルブ操作装置を備えたロールペーパー供給装置を提供することができる。
【発明を実施するための最良の形態】
【００１４】
本発明を実施するための最良の形態を、以下の実施例に基づいて説明する。
【００１５】
ただし、この実施例に記載されている構成部品の寸法、材質、形状、その相対配置等は、特に特定的な記載がない限りは、この発明の範囲をそれらのみに限定する趣旨のものではない。
【実施例１】
【００１６】
以下、本実施例に係るフラッシュバルブ操作装置を、図面を用いて説明する。
【００１７】
図１は、本実施例に係るフラッシュバルブ操作装置の概略斜視図、図２は、該フラッシュバルブ操作装置の概略正面図である。
【００１８】
図１及び図２に示すように、トイレブースの壁面Ｗには、フラッシュバルブ操作装置を収容するための収容凹部（凹部）が設けられ、収容凹部の開口縁部には額縁フレームＦが配設されている。
【００１９】
１は本実施例に係るフラッシュバルブ操作装置であり、壁面Ｗに設けられた収容凹部内に配置されて、額縁フレームＦを介して固設される。フラッシュバルブ操作装置１を収容凹部内に固設する場合には、額縁フレームＦを介さずに直接凹部面に固設してもよい。また、図ではフラッシュバルブ操作装置１が収容凹部内に完全に埋設された状態を示しているが、特にこれに限定されず、一部あるいは全部が壁面Ｗから突出してもよい。さらには壁面Ｗに収容凹部を設けず、フラッシュバルブ操作装置１を壁面Ｗの表面に固設する構成であってもよい。この場合、フラッシュバルブは収容凹部外に設置される。
【００２０】
フラッシュバルブ操作装置１は正面パネル２を備え、正面パネル２によって収容凹部の開口部が閉口される。正面パネル２には、後述する操作ボタン１０１を突出させるための開口部２１が設けられている。開口部２１は、例えばゴム等の半球状の弾性体で被覆され、防湿・防水処理が施されている。
【００２１】
正面パネル２は、例えばその下端部を支点として上部を前傾させて開口可能となっており、正面パネル２を前傾させて、フラッシュバルブ操作装置１のメンテナンス等を容易に行うことができる。あるいは、正面パネル２は、例えば観音開き構造の２枚のパネルより成る構成等であってもよい。
【００２２】
なお、壁面Ｗに収容凹部を設けずにフラッシュバルブ操作装置１を壁面Ｗの表面に固設する場合を含めた、フラッシュバルブ操作装置１の一部あるいは全部が壁面Ｗから突出する構成の場合には、正面パネル２の裏面側に、正面パネル２と壁面Ｗとの間の間隙を覆う不図示の周面パネル（本体パネル）が設けられる。また特に、壁面Ｗに収容凹部を設けずにフラッシュバルブ操作装置１を壁面Ｗの表面に固設する構成の場合には、さらに正面パネル２の裏面側対向位置に裏面パネル（本体パネル）を設けてもよい。
【００２３】
フラッシュバルブ操作装置１は洗浄操作部１００（洗浄操作手段）を備え、その一端には操作ボタン１０１（操作用押圧部材）が配設される。操作ボタン１０１は、前述の正面パネル２に設けられた開口部２１より突出し、また正面パネル２に対して垂直方向（図２における前後方向）に摺動可能に配置される。洗浄操作部１００の反対端は、壁面Ｗの収容凹部内に設置されたフラッシュバルブ３に係止される。
【００２４】
続いて、本実施例に係るフラッシュバルブ操作装置１の洗浄操作部１００の詳細な構成及び動作について説明する。
【００２５】
図３は、洗浄操作部１００の概略斜視図、図４は、洗浄操作部１００の動作を説明するための図である。
【００２６】
図３及び図４に示すように、洗浄操作部１００は、第一テコ部材１０２（第一揺動部材）、第二テコ部材１０３（第二揺動部材）、連結シャフト１０４（揺動伝達手段）、第一支持部材１０５（第一支持手段）、第二支持部材１０６（第二支持手段）を有する。
【００２７】
第一テコ部材１０２は、その一端側に、操作ボタン１０１の裏面側に突設された突起部材１０１ａが当接している。また、その他端側には、連結シャフト１０４を係止するための貫通孔１０２ｂ（係止部）が穿設されている。なお、貫通孔１０２ｂは、連結シャフト１０４が遊嵌される大きさの直径を有する。第一テコ部材１０２は、その中間領域に支持棒１０２ａを有し、支持棒１０２ａを介して第一支持部材１０５に揺動可能に軸支される。第一支持部材１０５は、額縁フレームＦを介して収容凹部に固設されている。正面パネル２の裏面側に、周面パネルが設けられている場合には、第一支持部材１０５は、周面パネルに固設してもよい。
【００２８】
第一テコ部材１０２は、支持棒１０２ａ（軸支位置）から突起部材１０１ａが当接する位置までの距離Ａ１と、支持棒１０２ａから貫通孔１０２ｂまでの距離Ｂ１とが、距離Ａ１＞距離Ｂ１となるように構成されることが好ましい。
【００２９】
第二テコ部材１０３は、その一端側に支持棒１０３ａを有し、支持棒１０３ａを介してフラッシュバルブ３に固設された第二支持部材１０６に揺動可能に軸支される。また、その他端側には、連結シャフト１０４を係止するための貫通孔１０３ｂ（係止部）が穿設されている。なお、貫通孔１０３ｂは、連結シャフト１０４が遊嵌される大きさの直径を有する。第二テコ部材１０３は、その中間領域に突起部材１０３ｃ（バルブ開閉用突起部材）が設けられており、突起部材１０３ｃの先端はフラッシュバルブ３のバルブ開閉部を開閉するためのバルブ開閉ボタン３１（バルブ開閉用押圧部材）に当接している。
【００３０】
第二テコ部材１０３は、支持棒１０３ａ（軸支位置）から貫通孔１０３ｂまでの距離Ａ２と、支持棒１０３ａから押圧突起部材１０３ｃが設けられた位置までの距離Ｂ２とが、距離Ａ２＞距離Ｂ２となるように構成されることが好ましい。
【００３１】
連結シャフト１０４は、第一テコ部材１０２に穿設された貫通孔１０２ｂと第二テコ部材１０３に穿設された貫通孔１０３ｂに挿通される。そして、連結シャフト１０４は、例えば、貫通孔１０２ｂ、１０３ｂの直径よりも大きい外径を持つ不図示の固定リングが、連結シャフト１０４の各貫通孔１０２ｂ、１０３ｂのそれぞれの両側位置で各テコ部材に所定の距離をおいて固定されることで、第一テコ部材１０２及び第二テコ部材１０３に係止される。
【００３２】
前述の如く、貫通孔１０２ｂ、１０３ｂの直径は、連結シャフト１０４が遊嵌される大きさであり、また固定リングが各テコ部材に対して所定の距離をおいて連結シャフト１０４に固定されるため、連結シャフト１０４は第一テコ部材１０２及び第二テコ部材１０３に遊嵌状態で係止される。これにより、第一テコ部材１０２及び第二テコ部材１０３のそれぞれの揺動が他方に伝達される。連結シャフト１０４の第一テコ部材１０２及び第二テコ部材１０３に対する遊嵌の程度は、少なくとも第一テコ部材１０２の揺動が第二テコ部材１０３に伝達されて、本発明の効果を得られる程度に適宜調整される。
【００３３】
なお、連結シャフト１０４の第一テコ部材１０２及び第二テコ部材１０３への係止構成については、特にこれに限定されず、第一テコ部材１０２及び第二テコ部材１０３それぞれの揺動が他方に伝達されるものであればよい。
【００３４】
次に、洗浄操作部１００の動作を説明する。
【００３５】
使用者が操作ボタン１０１を押圧する（図４における上方向に押圧する）と、操作ボタン１０１の裏面側に突設された突起部材１０１ａが第一テコ部材１０２を押圧する。すると、第一テコ部材１０２は、第一支持部材１０５に軸支される中間部を支点として図４における時計回り方向に揺動する。これにより、貫通孔１０２ｂに挿通され、係止されている連結シャフト１０４が、図４における右方向に移動する。
【００３６】
連結シャフト１０４が右方向に移動すると、これに伴って第二テコ部材１０３が、第二支持部材１０６に軸支される端部を支点として図４における時計回り方向に揺動する。これにより、第二テコ部材１０３の中間部に設けられた押圧突起部材１０３ｃが、図４における右方向に移動し、バルブ開閉ボタン３１を押圧する。
【００３７】
バルブ開閉ボタン３１は、内蔵される不図示のバネ部材によりフラッシュバルブ３より突出する方向に付勢されているが、使用者が操作ボタン１０１を押圧することで、第一テコ部材１０２及び第二テコ部材１０３が揺動して、その押圧力がバルブ開閉ボタン３１に伝達される。そして、バルブ開閉ボタン３１がその付勢力に逆らう方向に押圧されて、フラッシュバルブが操作され、便器を洗浄するための洗浄水を流出させることができる。
【００３８】
使用者が操作ボタン１０１から手を放すと、バルブ開閉ボタン３１がバネ部材の付勢力で元の位置に戻り、フラッシュバルブ３が閉止状態となる。そして、押圧突起部材１０３ｃが押圧されて図４における左方向に移動し、第二テコ部材１０３が反時計回り方向に揺動する。これにより、連結シャフト１０４が図４における左方向に移動し、これに伴って第一テコ部材１０２が反時計回り方向に揺動し、操作ボタン１０１が正面パネル２の表面方向（図４における下方向）に押圧されて元の位置に戻る。
【００３９】
以上、本実施例においては、使用者の操作ボタンの押圧力が、二つのテコ部材の揺動を介してバルブ開閉ボタンに伝達される。そのため、バルブ開閉ボタンの押圧に必要な力をより軽減することができ、フラッシュバルブの操作性をより向上させることができる。
【００４０】
また、例えば連結シャフトの長さや形状を変更することで、テコ部材のバランス構成等を変形することなく正面パネルに対する操作ボタンの配置位置を自由に設定することが可能であり、また、フラッシュバルブに対する正面パネルの配設位置、大きさ等を自由に設計することができる。
【実施例２】
【００４１】
以下、本実施例に係るフラッシュバルブ操作装置ついて説明する。
【００４２】
本実施例に係るフラッシュバルブ操作装置は、テコ部材の形状が実施例１と異なる。それ以外の実施例１と同様の構成については同一の符号を付し、説明は省略する。
【００４３】
図５は、本実施例に係るフラッシュバルブ操作装置の洗浄操作部２００の概略斜視図である。
【００４４】
図５に示すように、洗浄操作部２００の第一テコ部材２０２は、連結シャフト１０４が連結される側の端部に、垂直方向（図５における上下方向）に伸びる延出部２０２ｄを有する。延出部２０２ｄには、貫通孔２０２ｂ１、２０２ｂ３が穿設されている。したがって、第一テコ部材２０２は、垂直方向に並んだ三つの貫通孔２０２ｂ１、２０２ｂ２、２０２ｂ３を有する。第一テコ部材２０２と第二テコ部材１０３とに連結シャフト１０４を挿通する際には、第二テコ部材１０３の貫通孔１０３ｂの高さに合わせて、挿通する第一テコ部材２０２の貫通孔２０２ｂ１、２０２ｂ２、２０２ｂ３を選択する。
【００４５】
これにより、正面パネル２に対する操作ボタン１０１の突出位置と、フラッシュバルブ３の高さが異なる場合であっても、使用者の操作ボタン１０１の押圧力を、バルブ開閉ボタン３１に伝達することができる。
【００４６】
なお、第一テコ部材に延出部を設けるには、第一テコ部材を延出部と一体成形することで設けてもよく、あるいは実施例１の第一テコ部材の構成に延出部を溶接等により後付けすることで設けてもよい。また、本実施例においては、第一テコ部材に延出部を設ける構成としたが、特にこれに限定されず、第二テコ部材に延出部を設けてもよい。さらに、延出部の形状、貫通孔の穿設数等も限定されない。
【００４７】
以上、本実施例によれば、フラッシュバルブの操作性をより向上させることができるとともに、洗浄操作部の設計の自由度をより高めることができる。また、フラッシュバルブに対する正面パネルの配設位置、大きさ等をより自由に設計することができる。
【実施例３】
【００４８】
以下、本実施例に係るロールペーパー供給装置について説明する。
【００４９】
本実施例に係るロールペーパー供給装置は、本発明のフラッシュバルブ操作装置にロールペーパー供給部を備えた構成である。本実施例に係るロールペーパー供給装置におけるフラッシュバルブ操作装置の構成は実施例１と同様であるため、同一の構成については同一の符号を付し、説明は省略する。
【００５０】
図６は、本実施例に係るロールペーパー供給装置の概略斜視図であり、図７は、該ロールペーパー供給装置の概略平面図である。
【００５１】
図６及び図７に示すように、ロールペーパー供給装置４は、壁面に設けられた収容凹部内に配置されて、額縁フレームＦを介して固設される。正面パネル２の裏面側には洗浄操作部１００が設けられ、前述の如く収容凹部内に配設されたフラッシュバルブ３に係合している。また、ロールペーパー供給装置４は、ロールペーパー供給部３００（ロールペーパー供給手段）を有する。
【００５２】
ロールペーパー供給部３００は、正面パネル２の略中央に位置し、正面パネル２の裏面に筒状のロールペーパー収容部３０１（ロールペーパー収容手段）が起立して配設される。ロールペーパー収容部３０１にはロールペーパーが積載収容される。ロールペーパー収容部３０１へのロールペーパーの供給は、例えば、正面パネル２のロールペーパー収容部３０１の上部位置に不図示のロールペーパー供給口を設け、該ロールペーパー供給口から投入することで行うことができる。ロールペーパー供給口には、ロールペーパー供給口開閉蓋が、例えばその下端部を支点に前傾して上部が開口可能に蝶着されている。あるいは正面パネル２を開口してロールペーパーの供給を行うようにしてもよい。
【００５３】
正面パネル２の、ロールペーパー収容部３０１の底部位置には、予備ロールペーパー待機部（ロールペーパー待機部）３０２が形成されており、ロールペーパー収容部３０１に収容されている最下部のロールペーパーは、予備ロールペーパー待機部３０２にて保持される。
【００５４】
予備ロールペーパー待機部３０２の図６中左側には、ロールペーパー引出し部３０３が連設されており、予備ロールペーパー待機部３０２に保持されているロールペーパーは、使用者が図６における左方向に押し出すことでロールペーパー引出し部３０３にスライド移送される。ロールペーパーがスライドすると、予備ロールペーパー待機部３０２は空室となるため、ロールペーパー収容部３０１に収容されている二段目のロールペーパーが自重で落下し、予備ロールペーパー待機部３０２が該ロールペーパーで満たされる。
【００５５】
ロールペーパー引出し部３０３は、不図示のロールペーパー芯支持棒を有し、スライドされたロールペーパーは、その中心孔にロールペーパー芯支持棒が挿通され、回転自在に支持される。また、ロールペーパー引出し部３０３の上部には、蓋部材３０３ａが蝶着され、その裏面がロールペーパーに当接した状態で保持される。蓋部材３０３ａは、その開放端側の縁部に所望のカッター部材を儲けたカッター蓋の構成であってもよい。
【００５６】
また、ロールペーパー供給部３００のロールペーパー収容部３０１には、図８及び図９に示すように、積載されるロールペーパーＰｅの積載荷重を軽減するための荷重受けシャフト３０４が設けられていてもよい。
【００５７】
図示されるように、荷重受けシャフト３０４がロールペーパー収容部３０１に所定の間隔をおいて複数設けられており、それぞれの荷重受けシャフト３０４に積載収容されるロールペーパーＰｅが当接することで、各ロールペーパーＰｅの直下に位置するロールペーパーＰｅへの荷重が軽減される。これにより、ロールペーパー収容部３０１に収容されているロールペーパーＰｅによる予備ロールペーパー待機部３０２にあるロールペーパーＰｅへの荷重が軽減され、予備ロールペーパー待機部３０２にあるロールペーパーＰｅのロールペーパー引出し部３０３へのスライドを容易に行うことができる。
【００５８】
続いて、洗浄操作部１００とロールペーパー供給部３００の配置構成について説明する。
【００５９】
図７に示すように、ロールペーパー供給部３００のロールペーパー収容部３０１は、洗浄操作部１００の第一テコ部材１０２と第二テコ部材１０３と連結シャフト１０４とで囲まれた空間に配置されている。すなわち、洗浄操作部１００は、正面パネル２の裏面側に突出しているロールペーパー収容部３０１を回避して、操作ボタン１０１の押圧力を、フラッシュバルブ３のバルブ開閉ボタン３１に伝達することができるように構成されている。
【００６０】
なお、本実施例に係るロールペーパー供給装置４には、ロールペーパー供給部３００に換えて、あるいは追加して、便座クリーナ液供給部等を設けてもよい。例えば便座クリーナ液供給部を追加で設ける場合には、フラッシュバルブ３は、操作ボタン１０１の突出位置に対して低い位置に配置され、便座クリーナ液供給部はフラッシュバルブ３の上方に配置される。
【００６１】
ここで、本実施例では、第一支持部材１０５の下方にロールペーパー供給部３００のロールペーパー引出し部３０３が配設されている。そのため、第一支持部材１０５の額縁フレームＦへの固設位置を下げて、操作ボタン１０１の突出位置とフラッシュバルブ３の高さを合わせることができない。したがって、この場合第一テコ部材は、実施例２に示された延出部２０２ｄと、貫通孔２０２ｂ１、２０２ｂ２、２０２ｂ３を備えることが好ましく、貫通孔２０２ｂ１、２０２ｂ２、２０２ｂ３のいずれかを選択して連結シャフト１０４を挿通することで、正面パネル２に対する操作ボタン１０１の突出位置と、フラッシュバルブ３の高さが異なる場合であっても、使用者の操作ボタン１０１の押圧力をバルブ開閉ボタン３１に伝達することができる。
【００６２】
以上、本実施例によれば、洗浄操作部の設計の自由度が高く、そのため、正面パネルの裏面側に各種の部材が配設されている場合であっても、バルブ開閉ボタンの押圧に必要な力を軽減することができ、フラッシュバルブの操作性を向上させることができる。また、フラッシュバルブに対する正面パネルの配設位置、大きさ等をより自由に設計することができる。
【図面の簡単な説明】
【００６３】
【図１】実施例１に係るフラッシュバルブ操作装置の概略斜視図
【図２】フラッシュバルブ操作装置の概略正面図
【図３】洗浄操作部の概略斜視図
【図４】洗浄操作部の動作を説明するための図
【図５】実施例２に係るフラッシュバルブ操作装置の洗浄操作部の概略斜視図
【図６】実施例３に係るロールペーパー供給装置の概略斜視図
【図７】ロールペーパー供給装置の概略平面図
【図８】ロールペーパー供給部の概略斜視図
【図９】ロールペーパー供給部の概略側面図
【符号の説明】
【００６４】
Ｗ  壁面
１  フラッシュバルブ操作装置
２  正面パネル
３  フラッシュバルブ
２１  開口部
３１  バルブ開閉ボタン（バルブ開閉用押圧部材に対応）
１００  洗浄操作部（洗浄操作手段に対応）
１０１  操作ボタン（操作用押圧部材に対応）
１０２  第一テコ部材（第一揺動部材に対応）
１０２ｂ  貫通孔（係止部に対応）
１０３  第二テコ部材（第二揺動部材に対応）
１０３ｂ  貫通孔（係止部に対応）
１０３ｃ  突起部材（バルブ開閉用突起部材に対応）
１０４  連結シャフト（揺動伝達手段に対応）
１０５  第一支持部材（第一支持手段に対応）
１０６  第二支持部材（第二支持手段に対応）
３００  ロールペーパー供給部（ロールペーパー供給手段に対応）
３０１  ロールペーパー収容部（ロールペーパー収容手段に対応）
【図１】
2008223340.tif 000003
【図２】
2008223340.tif 000004
【図３】
2008223340.tif 000005
【図４】
2008223340.tif 000006
【図５】
2008223340.tif 000007
【図６】
2008223340.tif 000008
【図７】
2008223340.tif 000009
【図８】
2008223340.tif 000010
【図９】
2008223340.tif 000011